(57)【要約】【課題】  新型の構造かつ実用価値に合うアラーム機能を付属する飾り物を提供する。【解決手段】  本体１は前蓋１０及び後蓋１１から成り立って、前蓋１０はフレームボディー１００及び飾り板がある。フレームボディー１００に凹槽１０２を設け、凹槽１０２に縁１０３があって、縁１０３にはスライドウエー１０４及びセンサージャック１０５がある。また、前蓋１０の両側に後蓋１１と結合可能であるほぞ１０８がある。後蓋１１の壁にほぞ１０８と結合するほぞ穴１１１を設ける。また、後蓋１１の両側に台座２と結合する結合穴１１５及び結合穴１１６がある。また、スピーカー３と電子コントロール基板４とがある。バッテリーケース１１７がある。台座２にはスタンド２０及び取り巻く面２１がある。本体１と台座２との結合固定機能を果たすため、後方に挟台２２を設ける。【選択図】    図４
2005169709.tif 000002
【特許請求の範囲】
【請求項１】
アラーム機能を付属している飾り物であって、本体は前蓋及び後蓋から成り立ち、前蓋はフレームボディー及び飾り板があり、フレームボディーに凹槽（１０２）を設け、凹槽に縁があり、縁にはスライドウエー及びセンサージャックがあり、スライドウエーは写真或は画像を置く時の便利性のため、透明板を置くことが可能であり、前蓋の両側に後蓋と結合可能であるほぞがあり、
後蓋があり、前蓋のほぞと結合するため、この後蓋の壁に予めほぞ穴を設け、これにより両者は一体となり、後蓋の基盤にチャイム或は写真立てとして壁に掛ける吊穴があり、後蓋の両側に台座と結合する結合穴があり、
スピーカーと電子コントロール基板とがあり、外部より異常信号をキャッチした場合、アラームが鳴り出し、バッテリーを入れるためのバッテリーケースがあり、バッテリーカバーでそれを閉め、
台座を設け、台座に本飾り物を卓上或は平面に立たせるためのスタンドがあり、本体の下方を押さえ付けるための取り巻く面があり、本飾り物を卓上に置く或は壁に掛ける時、本体と台座との結合固定機能を果たすため、後方に挟台を設け、この挟台に上記の結合穴を挟むことが可能であることを特徴とするアラーム機能を付属している飾り物。
【請求項２】
本体の前蓋に、フレームボディー及び飾り板があり、フレームボディーに凹槽を設け、凹槽の下方に活動縁を設け、活動縁にスライドウエーを設け、凹槽の底部にほぞを挟むほぞ穴があり、これにより活動縁とフレームボディーとを一つに結合し、上記の両者を結合させる前、まず飾り板をフレームボディーの凹槽の中に入れてから、かつ飾り板の差込みを利用して、上記のフレームボディーの差込み槽の中に挿入して、飾り板とフレームボディーとの結合機能を果たし、本体の外観を随意に変換するため、フレームボディーの両側に後蓋と結合するほぞ穴を設けていることを特徴とする請求項１記載アラーム機能を付属している飾り物。
【請求項３】
メインフレームには、発射器より発射してきた信号をキャッチするメインコントロール電路及びキャッチ電路があることを特徴とする請求項１記載のアラーム機能を付属している飾り物。
【請求項４】
アラーム機能を付属している飾り物であって、本体は前蓋及び後蓋から成り立ち、前蓋はフレームボディー及び飾り板があり、フレームボディーに凹槽を設け、凹槽に縁があり、縁にはスライドウエー及びセンサージャックがあり、スライドウエーは透明板を置くことが可能であり、前蓋の両側に後蓋と結合可能であるほぞがあり、
後蓋があり、前蓋のほぞと結合するため、この後蓋の壁に予めほぞ穴を設け、これより両者は一体となり、後蓋の基盤にチャイム或は写真立てとして壁に掛ける吊穴があり、後蓋の両側に台座と結合する結合穴があり、
スピーカーと電子コントロール基板とがあり、この電子コントロール基板にはメインコントロール電路と発射電路とがあり、電子コントロール基板のメインコントロール電路は外部の異常信号をキャッチするセンサーがあり、メインフレームが外部より異常信号をキャッチした場合、発射電路から副機に信号を発射し、バッテリーを入れるためのバッテリーケースがあり、バッテリーカバーでそれを閉め、
台座を設け、この台座は本体の台座と結合しており、
副機を設け、副機の内部にキャッチ電路及びスピーカーを設置し、メインフレームが外部より異常信号をキャッチした場合、副機のキャッチ電路が発射電路から発射した信号をキャッチし、副機が起動されて音を発生することを特徴とするアラーム機能を付属している飾り物。
【発明の詳細な説明】
【技術分野】
【０００１】
本発明は、アラーム機能を付属している飾り物であって、特に、火事のアラームとすることを指している。或は、盗難防止のアラームとして、或は、光源の偵察機能として、或は、来客の告知機能として、かつ使用のニ一ズに応じて写真立てとして卓上に飾ることができる。また、チャイムとして壁に飾ることができる。
【背景技術】
【０００２】
図１は一種の火事キャッチ商品を示している。それは天井ＡにセンサーＡ０を固定して設置し、火事が発生した時、このキャッチ器Ａ０は直ちにその状況をキャッチして、直ぐスプリングラー或はアラームなどの警報施策を採用して、その主な目的は事前に告知する作用である。
【０００３】
その上、写真立てと時計或は暦は室内に陳列する飾り物であって、家庭の暮し環境を美化する機能になる。図２で示している通り、飾り物のボディーＢの中に写真Ｂ０を入れることができる。圧板Ｂ１は写真Ｂ０とボディーＢとを挟んで、圧板Ｂ１に設けているスタンドＢ２により、机の上に飾って、飾りと保存の機能をなす。
【０００４】
図３は現在販売されている本体を含めたチャイムであって、音を外に出すため、本体Ｃに通穴Ｃ０を設け、本体の後方の吊穴Ｃ１により、そのチャイムを壁に掛けることができる。
【０００５】
写真立て或はチャイムは単一の飾り機能だけではなく、その応用範囲は広汎である。例えば、時計、日めくりの暦、月めくりの暦、週めくりの暦又は計算機などとの取り合わせであり、その目的は該当商品の構造空間を広汎に応用することであるが、一般の盗難防止器の機能は非法侵入者を感応して、状況が発生した時、アラームが鳴り出して、警報機能を果たすことであるから、写真立て、時計或は暦を火事キャッチ器及び盗難防止器と結合させると、その技術構造の組み合わせより、写真立ての移動できる特性を十分利用して、消費者に随時警戒と防備をさせて、自分及び他人を保護することにより、一種の安全な方法で警報するポータブルの商品を生み出すことが、切に期待されている。
【発明の開示】
【発明が解決しようとする課題】
【０００６】
本発明の目的は、一種の新型の構造かつ実用価値に合う飾り物を提供する。
【課題を解決するための手段】
【０００７】
本発明の特徴は、下記の通りである。
１．本発明の飾り物は、本体と台座との組み合わせで成り立っている。その中の本体と台座との間の組み合わせは、使用者のニ一ズに合わせて自由に変換することにより、もっともよい実用性を生み出すデザインである。
【０００８】
２．本発明の飾り物の本体に電子コントロール基板を設けることができる。電子コントロール基板にはメインコントロール電路があって、メインコントロール電路は光源、温度又は煙などの環境変化より生じた外部信号を探知すると、アラームが鳴り出すので、用途は多様である。
【発明を実施するための最良の形態】
【０００９】
本発明を十分に理解するため、下記の通りに図式解説を付け加える。
まず図４から図１０の本発明の実施例（一）を参照してください。図１１と図１２は本発明の実施例（二）であり、図１５と図１６は本発明の実施例（三）であり、上記の実施例（一）、実施例（二）及び実施例（三）で示した通り、各実施例の飾り物は本体１があって、本体１は前蓋１０及び後蓋１１から成り立って、前蓋１０はフレームボディー１００があって、フレームボディー１００の正面に凹槽１０２を設け、３×５或は４×６の写真或は画像を置くことができる。凹槽１０２に縁１０３があって、縁１０３にはスライドウエー１０４及びセンサージャック１０５がある。スライドウエー１０４は写真或は画像１０７を置く時の便利性のため、透明板１０６を置くことができる。また、前蓋１０の両側に後蓋と結合できるほぞ１０８がある。
【００１０】
また、後蓋１１があって、その後蓋１１の壁１１０に前蓋１０のほぞ１０８と結合するほぞ穴１１１を設け、これにより両者は一体となる。そして、後蓋１１の基盤１１２に本飾り物を台座２と結合せずに壁に掛けられる吊穴１１３及び吊穴１１４がある（図９と図１０に示した通り）。また、後蓋１１の両側に台座２と結合する結合穴１１５及び結合穴１１６がある。
【００１１】
また、スピーカー３と電子コントロール基板４とがあって、外部より異常信号をキャッチした場合或は来客がチャイムを押した時、スピーカー３より快い音が出る。そして、バッテリー５を入れるためのバッテリーケース１１７があって、バッテリーカバー１１８でそれを閉める。
【００１２】
また、台座２を設け、台座２に本飾り物を卓上或は平面に立たせるためのスタンド２０がある。そして、上記の本体１の下方を押さえ付けるための取り巻く面２１がある（図６から図８に示した通り）。本飾り物を卓上に置く或は壁に掛ける時、本体と台座との結合固定機能を果たすため、後方に挟台２２を設け、この挟台２２に上記の結合穴１１５及び結合穴１１６を挟むことができる（図９と図１０に示した通り）。
【００１３】
電子コントロール基板４はメインコントロール電路４１（図５の実施例に示した通り）、及び／或は発射電路４２（図１２の実施例二に示した通り）、及び／或はキャッチ電路７４（図１５の実施例三に示した通り）があって、屋外の発射器７５（図１５及び図１６の実施例三に示した通り）により来客告知の機能を果たす。実施例（一）、実施例（二）及び実施例（三）の電子コントロール基板４のメインコントロール電路４１には環境の変化より生じた外部信号を探知するセンサー４１０がある。このセンサー４１０は各種類の警報の二ーズに合わせるため、光源センサー、温度センサー或は煙センサーにすることができる。本体１の脇にはメインコントロール電路４１をｏｎ／ｏｆｆできるスイッチ４３がある。発射電路４２は赤外線或はＲＦ方式を採用することができる。
【００１４】
及び／或は、小型副機７（図１３に示した通り）を設け、副機７には互いに結合できる前外殻７０及び後外殻７１があって、バッテリー７３を入れるためのバッテリーケース７２があって、副機の内部には上記の本体１の発射電路４２より発射した信号を受け取るキャッチ電路７４があって、これにより副機７の機能を起動させる。
【００１５】
本体１と副機７（図１４に示した通り）を別々の場所に放置した時、本体のセンサー４１０により外部の光源、温度或は煙などの異常信号をキャッチして、本体を起動させて、警報信号を出させると同時に、本体より発射した信号は副機のキャッチ電路がキャッチして、副機を起動させることができるから、写真立て、チャイム、時計（図１９に示した通り）或は暦（図２０に示した通り）などの多機能の飾り物としての機能を果たすことができるので、飾り物の外に、安全な方法で警報するポータブルの機能を持っている。
【００１６】
ワイヤレスチャイムにする時、本体１と発射器７５（図１７に示した通り）を別々の場所に放置して、発射器７５より発射した信号は本体１のキャッチ電路がキャッチして、来客の告知機能を果たす。また、本体にあるセンサー４１０により外部の光源、温度或は煙などの異常信号をキャッチした時、本体を起動させて、警報信号を出させる。
【００１７】
次に、本発明の上記の実施例（一）、実施例（二）及び実施例（三）の本体１の構造は、図１８に示すように、本体が前蓋１０Ａ及び後蓋１１Ａから成り立って、その後蓋は上記の実施例（一）、実施例（二）及び実施例（三）では全部同じであるが、前蓋１０Ａはフレームボディー１００Ａ及び飾り板１０１Ａがあって、フレームボディー１００Ａの正面には凹槽１０２Ａを設け、凹槽の下方には活動縁１０３Ａがあって、続いて縁１０３Ａ及び縁１０４Ａにはスライドウエー１０５Ａを設け、凹槽の底部に活動縁１０３Ａのほぞ１０７Ａを挟むほぞ穴１０６Ａがあって、これにより活動縁１０３Ａとフレームボディー１００Ａとを一つに結合する。但し、上記の両者を結合させる前、まず飾り板１０１Ａをフレームボディー１００Ａの凹槽１０２Ａの中に入れてから、かつ飾り板１０１Ａの差込み１０１０Ａを利用して、上記のフレームボディー１００Ａの差込み槽１０５Ａの中に挿入して、飾り板とフレームボディーとの結合機能を果たす。また、飾り効果を得るため、フレームボディーに事前にカラー図案１０１１Ａをプリントすることができる。フレームボディーの両側に後蓋と結合するほぞ１０８Ａが設けてある。
【００１８】
上記より、本発明は随意に本体の外観を変換することができる。また、この飾り物本体の空間を広汎に利用して、その機能上の利用価値を賦与することにより、もっともよい実用性を生み出すデザインである。
【図面の簡単な説明】
【００１９】
【図１】従来の警報器の取り付け構造を示す模式図である。
【図２】従来のフレームの構造を示す分解斜視図である。
【図３】従来のチャイムの構造を示す模式図である。
【図４】本発明の実施例（一）によるアラーム機能を付属する飾り物を示す分解斜視図である。
【図５】本発明の実施例（一）によるアラーム機能を付属する飾り物のコントロール電路の回路図である。
【図６】本発明の実施例（一）によるアラーム機能を付属する飾り物を示す一部分解斜視図である。
【図７】本発明の実施例（一）によるアラーム機能を付属する飾り物を示す斜視図である。
【図８】本発明の実施例（一）によるアラーム機能を付属する飾り物を示す正面図である。
【図９】本発明の実施例（一）によるアラーム機能を付属する飾り物の壁に掛ける状態を示す模式図である。
【図１０】本発明の実施例（一）によるアラーム機能を付属する飾り物の壁に掛ける状態を示す模式図である。
【図１１】本発明の実施例（二）によるアラーム機能を付属する飾り物を示す分解斜視図である。
【図１２】本発明の実施例（二）によるアラーム機能を付属する飾り物のコントロール電路を示す回路図である。
【図１３】本発明の実施例（二）によるアラーム機能を付属する飾り物の副機を示す分解斜視図である。
【図１４】本発明の実施例（二）によるアラーム機能を付属する飾り物の異なる部屋の壁に掛ける状態を示す模式図である。
【図１５】本発明の実施例（三）によるアラーム機能を付属する飾り物を示す分解斜視図である。
【図１６】本発明の実施例（三）によるアラーム機能を付属する飾り物のコントロール電路を示す回路図である。
【図１７】本発明の実施例（三）によるアラーム機能を付属する飾り物の壁に掛ける状態を示す模式図である。
【図１８】本発明の実施例（四）によるアラーム機能を付属する飾り物を示す分解斜視図である。
【図１９】本発明の一実施例によるアラーム機能を付属する飾り物を時計にする状態を示す斜視図である。
【図２０】本発明の一実施例によるアラーム機能を付属する飾り物を暦にする状態を示す斜視図である。
【符号の説明】
【００２０】
１  本体、２  台座、３  スピーカー、４  電子コントロール基板、５  バッテリー、７  副機、１０  前蓋、１０Ａ  前蓋、１１  後蓋、１１Ａ  後蓋、４１  メインコントロール電路、  ４２  発射電路、４３  スイッチ、７４  キャッチ電路、１１８  バッテリーカバー、４１０  センサー
【図１】
2005169709.tif 000003
【図２】
2005169709.tif 000004
【図３】
2005169709.tif 000005
【図４】
2005169709.tif 000006
【図５】
2005169709.tif 000007
【図６】
2005169709.tif 000008
【図７】
2005169709.tif 000009
【図８】
2005169709.tif 000010
【図９】
2005169709.tif 000011
【図１０】
2005169709.tif 000012
【図１１】
2005169709.tif 000013
【図１２】
2005169709.tif 000014
【図１３】
2005169709.tif 000015
【図１４】
2005169709.tif 000016
【図１５】
2005169709.tif 000017
【図１６】
2005169709.tif 000018
【図１７】
2005169709.tif 000019
【図１８】
2005169709.tif 000020
【図１９】
2005169709.tif 000021
【図２０】
2005169709.tif 000022